(57)【特許請求の範囲】
【請求項１】
対象部位を処置することが可能となるように、電動駆動によって処置エネルギーを発生させる電動駆動手段と、
前記処置エネルギーを前記対象部位に伝達可能となるように設けられた処置部と、
前記電動駆動手段を駆動可能となるように、前記電動駆動手段に供給する電力を入力可能となるように設けられた電力入力部と、
を備えた手術装置と、
前記対象部位を観察可能となるように、所望の位置に配置可能な観察具を有する観察装置と、
前記観察装置に設けられ、前記電動駆動手段を駆動させるための電力を生成する電源回路部と、
前記観察具に設けられ、前記電源回路部によって生成された電力を出力可能となるように設けられた電力出力部と、
前記電力出力部と前記電力入力部を電気的に接続可能となるように設けられたケーブルと、
を具備することを特徴とする手術システム。
【発明の詳細な説明】
【０００１】
【発明の属する技術分野】
本発明は、観察・撮像装置によって対象部位の観察あるいは撮像を行うながら、電動駆動する手術装置を用いて対象部位の生検あるいは処置を行う手術システムに関する。
【０００２】
【従来の技術】
近年、医療分野においては手術する部位や手技に対応させて、観察・撮像装置と手術装置とを組み合わせて構成した手術システムが利用されている。
【０００３】
この観察・撮像装置としては口腔や肛門から体腔内に挿入される挿入部が柔軟な内視鏡や、腹壁に穿刺されたトラカールを介して腹腔内に配置される挿入部が硬性な腹腔鏡（光学視管）や微細な神経や血管を拡大観察できる手術用顕微鏡がある。
【０００４】
これら内視鏡や手術顕微鏡でとらえた観察部位の状態は、直接目視にして観察したり、これら内視鏡や手術顕微鏡でとらえた光学像を映像信号を生成するコントロール装置を通して例えばモニタ画面上に表示して観察するようになっていた。
【０００５】
一方、手術装置としては把持鉗子やメス等のような手術器具の他に、電源によって駆動される手術装置がある。この電源から供給される電力によって電動駆動される手術装置としては例えば、超音波振動を利用して処置具を振動させ、この処置具の振動で対象部位である生体組織を切開あるいは凝固したり、粉砕して吸引する超音波手術装置や、高周波電力による熱作用で対象部位である生体組織に対して切開、凝固作用を及ぼす電気メス装置、生体組織を回転力により細かく粉砕する動力処置具等がある。
【０００６】
また、これら医療機器を体腔内に導くために体壁に穿刺されトラカールを電源に接続して超音波振動させ、穿刺を容易に行えるようにした超音波トラカール等もある。
【０００７】
例えば、一般的な手術装置として、特開平９−２９９３８１号公報には超音波手術装置の一例が開示されている。図９の従来の超音波手術装置の構成例の図に示すように、この超音波手術装置は、図示しない超音波振動子からの超音波振動を処置部位１０１に伝達するプローブを備えたハンドピース１００と、前記超音波振動子を駆動するための駆動部を内蔵した制御装置１０２とで構成され、前記制御装置１０２にはＡＣコード１０３を介して商用電源に接続されるようになっていた。そして、前記ハンドピース１００と制御装置１０２とは細長な電気ケーブル１０４によって電気的に接続されていた。
【０００８】
そして、電気メス装置においても、前記超音波手術装置と同様、処置部位にエネルギーを与えるハンドピースと、このエネルギーを発生する回路部を備えた制御装置とで構成され、この制御装置はＡＣコードを介して商用電源に接続され、ハンドピースと制御装置とは電気ケーブルによって電気的に接続されている。
【０００９】
また、医療システムとして、脳神経外科分野では微細な神経や血管を拡大観察下で手術を行うマイクロサージャリーがある。図１０のマイクロサージャリーによる脳外科手術装置の構成例の図に示すように、手術用顕微鏡１１０は、光学系を備えた顕微鏡部１１１と、この顕微鏡部１１１を支持するとともに所望の位置に移動自在にする支柱及び複数の支持アーム部で形成されたアームスタンド１１２とにより構成されており、この顕微鏡部１１１で拡大された対象部位を観察しながらハンドピース１１３など操作して処置を行うものである。
【００１０】
前記ハンドピース１１３は、術中、術者が処置部位に対する凝固・止血に使用する例えばバイポーラの焼灼装置であり、上述した電動駆動される手術装置と同様に、ハンドピース１１３と、このハンドピース１１３を動作させる駆動部を備えた制御装置１１４とは細長な電気ケーブル１１５により電気的に接続されている。そして、前記制御装置１１４は、ＡＣコード１１６を介して商用電源に接続されていた。なお、制御装置１１４は、滅菌された手術領域から離れた不潔領域に設置されている。
【００１１】
また、図１１の腹腔鏡と手術装置とで構成した医療システムの図に示すように、腹腔内を光学視管１２０で観察しながら検査・処置を行う場合、患者の腹壁に例えば２本のトラカール１２１，１２２を穿刺し、このトラカール１２１，１２２を介して前記光学視管１２０や処置具１２３等を腹腔内に導入する。
【００１２】
前記処置部位は、光源装置１２４から供給される照明光によって照らされるようになっており、この光源装置１２４で発生された照明光は細長なライトガイドケーブル１２５及び光学視管１２０に挿通配置されたライトガイド（不図示）を介して挿入部の先端部まで伝達され、処置部位に向かって出射される。
【００１３】
そして、この照明光によって照らされた処置部位の観察像を、光学視管１２０の手元部に接続したＴＶカメラ１２６によって撮像し、このＴＶカメラ１２６で撮像して光電変換された画像信号を細長なカメラケーブル１２７を介して制御装置１２８に伝送している。この制御装置１２８では伝送された画像信号から映像信号を生成し、この映像信号を映像ケーブル１２９を介してモニタ１３０に出力する。このことにより、モニタ１３０の画面上に処置部位の観察画像が表示される。
【００１４】
術者はこのモニタ１３０に表示される観察画像を見ながら、光学視管１２０の挿入深さや挿入角度等を適宜操作して最適な視野を確保して手術を行う。
【００１５】
一方、処置部位の切除等に使用される処置具１２３である例えば電気メスは、高周波電源装置１３１に細長な電気ケーブル１３２を介して接続されている。そして、この高周波電源装置１３１はＡＣコード１３３を介して商用電源に接続されていた。
【００１６】
さらに、軟性の内視鏡を使用した医療システムの１例として特開平４−１４６７４３号公報には、電気メスとしての高周波スネアにより、病巣を切除する高周波スネア及びこれを用いる生検方法が開示されている。
【００１７】
【発明が解決しようとする課題】
しかしながら、手術システムとして構成される上述した電動で駆動される手術装置と高周波電源装置、光学視管やＴＶカメラと制御装置や光源装置が電気ケーブルやカメラケーブル，ライトガイドケーブルを介して接続されていたため、術中にこれらケーブル類が突っ張ったり、絡まって操作性が損なわれることがあった。また、術者は、これらケーブル等に引っかからないように注意を払って手術を行っていたため、手術に専念することが難しいばかりでなく、術者の移動空間や手術空間が制限されるという問題があった。
【００１８】
本発明は上記事情に鑑みてなされたものであり、手術室内の空間を有効利用して、術者に作業生が良好で十分な作業空間の提供を図れる手術システムを提供することを目的にしている。
【００１９】
【課題を解決するための手段】
本発明による手術システムは、対象部位を処置することが可能となるように、電動駆動によって処置エネルギーを発生させる電動駆動手段と、前記処置エネルギーを前記対象部位に伝達可能となるように設けられた処置部と、前記電動駆動手段を駆動可能となるように、前記電動駆動手段に供給する電力を入力可能となるように設けられた電力入力部とを備えた手術装置と、前記対象部位を観察可能となるように、所望の位置に配置可能な観察具を有する観察装置と、前記観察装置に設けられ、前記電動駆動手段を駆動させるための電力を生成する電源回路部と、前記観察具に設けられ、前記電源回路部によって生成された電力を出力可能となるように設けられた電力出力部と、前記電力出力部と前記電力入力部を電気的に接続可能となるように設けられたケーブルとを具備している。
【００２１】
本発明の手術システムによれば、対象部位に近いところから必要な電力を確保できるため、電力を供給するためのケーブルが邪魔にならない。
【００２２】
【発明の実施の形態】
以下、図面を参照して本発明の実施の形態を説明する。
図１ないし図３は本発明の第１実施形態に係り、図１は手術システムの１例を示す図、図２は手術顕微鏡に設けた手術装置に電源を供給する電源供給部を説明する図、図３は焼灼装置の１構成を説明する図である。
【００２３】
図１に示すように本実施形態の手術システム１は、処置部位を観察する観察・撮像装置である手術用顕微鏡２と、前記処置部位に対して処置を施す手術装置とを備えて構成されるシステムであり、この手術装置としては把持鉗子やメス等のような手術器具の他に、前記手術用顕微鏡２の外部装置として後述するように電動駆動される手術装置が用いられる。
【００２４】
前記手術用顕微鏡２は、手術ベッドに横たわる患者の処置部位を拡大観察する患者近傍に配置される観察部である顕微鏡部２１と、この顕微鏡部２１を自在に３次元的に移動及び傾斜配置可能にする支持アーム部２２及び支柱２３で形成したアームスタンド２４とで構成されている。
【００２５】
前記アームスタンド２４には例えば手術装置である図３に示す処置部位の出血に対し高周波電流を流すことによって凝固・止血及び切開を行える処置電極部３１を備えた焼灼装置３に電力を供給する、破線に示す前記支柱２３内に設けられて電圧変換を行う電源回路４１と、前記顕微鏡部２１の側部に配置された前記焼灼装置３との電気的接続部４２と、この電気的接続部４２と前記電源回路４１とを電気的に接続する図示しない信号線等に並走する接続線である接続ケーブル４３とを備えた電源供給部４が設けられている。
【００２６】
なお、符号２５は電源回路４１から延出して手術室内の図示しない商用電源のコンセントに接続されるプラグ２６を備えたＡＣコードである。
【００２７】
図２に示すように前記電源供給部４の電源回路４１は、前記プラグ２６を介して例えば１００ボルトや２４０ボルト等の商用電源に接続される一次回路４４と、この一次回路４４と絶縁トランス４５を介して結合される二次回路である手術顕微鏡用電源に変換する顕微鏡用電源回路４６及び手術装置用電源である例えばＤＣ１２ボルトやＤＣ４８ボルト等の低電圧源に変換する装置用絶縁トランス４８及び整流回路４９を備えた手術装置用電源回路４７とで主に構成されている。そして、この手術装置用電源回路４７から前記電気的接続部４２に向かって前記接続ケーブル４３が延出している。
【００２８】
一方、前記電気的接続部４２は、前記接続ケーブル４３の端部が電気的に接続される例えばメス型コネクタ４２ａであり、このメス型コネクタ４２ａに前記電気ケーブル５の一端部に設けた第１オス型コネクタ５１が着脱自在に接続されるようになっている。
【００２９】
図３に示すように処置電極３１を先端に備えた焼灼装置３の操作部を兼ねる把持部３２内には処置電極３１を駆動する駆動回路３３と、数１００キロヘルツないし数メガヘルツの高周波信号を生成する発振回路３４とが設けられている。
【００３０】
また、前記把持部３２の例えば側周部には前記駆動回路３３のＯＮ／ＯＦＦ制御を行う操作スイッチ３５が設けられ、基端面部には前記電気ケーブル５の他端部に設けられている第２オス型コネクタ５２が電気的に接続されるメス型コネクタ３６が配設されている。
【００３１】
上述のように構成した手術システムの作用を説明する。
まず、処置を行う手術装置として焼灼装置３を用意し、電気ケーブル５に設けられている第１オス型コネクタ５１を顕微鏡部２１のメス型コネクタ４２ａに接続する一方、電気ケーブル５の他端部に設けられている第２オス型コネクタ５２を焼灼装置３のメス型コネクタ３６に接続する。
【００３２】
次に、術者は、焼灼装置３の操作スイッチ３５をＯＮ状態に操作する。すると、前記電源供給部４に設けられている手術装置用電源回路４７で変換された低電圧源がこの焼灼装置３内の駆動回路３３及び発振回路３４に供給される。
【００３３】
前記焼灼装置３に電力が供給されることにより、発振回路３４では高周波信号が発生する。そして、この発振回路３４で発生した高周波信号は、前記駆動回路３３に供給され、この駆動回路３３で増幅された後、処置電極３１に伝達される。
【００３４】
このことにより、処置電極３１では高周波信号と生体組織の抵抗値によって決まるジュール熱によって、生体組織を蒸散させ、術者の所望する組織の凝固・止血又は切開等の処置を行える。
【００３５】
なお、本実施形態においては手術装置を焼灼装置としたが、手術用顕微鏡とともにシステムを構成する手術装置としては焼灼装置に限定されるものではなく、超音波メスなどの電気的に駆動する手術装置であってもよい。また、電気ケーブルに例えばコイル状にカールしたカール部を設けるようにしてもよい。さらに、本実施形態においては、焼灼装置３に電源を供給する手術装置用電源回路４７を手術用顕微鏡２の支柱２３に内蔵する構成を示しているが、前記手術装置用電源回路４７を手術室内に配置する電源装置として設置し、顕微鏡部２１に電気的接続部４２を設ける構成にしてもよい。このとき、前記手術室内に配置された電源装置内の手術装置用電源回路４７と前記電気的接続部４２とを接続ケーブル４３で接続する構成とし、この接続ケーブル４３を手術用顕微鏡２の支柱２３及び支持アーム部２２内に挿通配置する。また、接続ケーブル４３は手術用顕微鏡２の外表面を沿わせる構造でもよい。
【００３６】
このように、手術システムで使用される手術装置の電源供給部を、観察・撮像装置である手術用顕微鏡に一体に設け、この電源供給部の電気的接続部を手術用顕微鏡の中で最も患者の近くに位置する顕微鏡部に設けたことにより、手術装置に着脱自在に接続される電気ケーブルを患者の近傍に位置する電気的接続部に電気的に接続して、手術空間を十分に確保することができるとともに、術者は、手術ベッド上や床上を這う電気ケーブルに注意を払うことなく、集中して顕微鏡を観察しながらの処置を行うことができる。
【００３７】
このことによって、手術装置から延出する電気ケーブルが手術ベッド上や手術室の床上を這うことがなくなって、良好な作業空間を得られる。
【００３８】
また、商用電源を手術装置用電源回路によって低電圧源に変換するまでの間に、絶縁トランスを二重に設けたことによって、商用電源と患者とを完全に分離して患者の電気的な安全を確保することができる。
【００３９】
図４ないし図６は本発明の第２実施形態に係り、図４は手術システムの他の構成例を示す図、図５は超音波メスの構成を説明する図、図６はＴＶカメラヘッド及びＴＶコントローラの構成を説明する図である。
【００４０】
図４に示すように本実施形態の手術システム１Ａは、処置部位である腹腔内を観察しながら処置を行う手術システムの構成を示すものであり、患者の腹壁には処置部位を観察する光学視管６を腹腔内に導く第１トラカール１１と、処置部位に対する処置を行う手術装置である例えば超音波メス７を腹腔内に導く第２トラカール１２とが穿刺されている。
【００４１】
前記第１トラカール１１を介して腹腔内に導かれる光学視管６は、細長な挿入部６１と、この挿入部６１の基端に設けた操作部を兼ねる把持部６２とで主に構成されている。そして、前記挿入部内には照明光を供給する照明光学系及び処置部位の観察像を得る観察光学系が挿通配置されており、挿入部先端面６１ａには照明光が出射される図示しない照明光出射端及び観察用レンズが配置されている。
【００４２】
また、前記把持部６２の側部にはライトガイド口金６３が設けられており、このライトガイド口金６３に照明光を供給する光源装置１３に接続された照明光伝送用のライトガイドケーブル１４を接続することによって、前記光源装置１３で発生された照明光がライトガイドケーブル１４及び光学視管６に配置されている照明光学系を介して先端部まで伝送されて、照明光出射端から観察部位に向かって出射される。
【００４３】
さらに、前記把持部６２の基端部には接眼部６４が設けられており、この接眼部６４にはカメラアダプタ６５を介して前記観察光学系でとらえた光学像を画像信号に光電変換する固体撮像素子（図６符号６６ａ参照）を内蔵した撮像部となるＴＶカメラヘッド６６が着脱自在に接続されるようになっている。
【００４４】
前記ＴＶカメラヘッド６６からは制御装置であるＴＶコントローラ１５に接続されるＴＶケーブル６７が延出しており、このＴＶケーブル６７を介して前記固体撮像素子６６ａで光電変換された画像信号がＴＶコントローラ１５に設けられている信号処理回路（図６符号１６）に出力されるようになっている。
【００４５】
なお、前記信号処理回路１６では前記画像信号を映像信号に生成し、この映像信号をモニタ１７に出力する。このことによって、モニタ１７の画面上に処置部位の観察画像が表示される。
【００４６】
一方、前記超音波メス７は、把持部を兼ねる操作部７１の例えば基端に、電気ケーブル５Ａの一端部に設けたオス型コネクタ（図５符号５３参照）が着脱自在に接続されており、この電気ケーブル５Ａの他端部に設けられているオス型コネクタ５４（図６符号５４参照）が前記ＴＶカメラヘッド６６に着脱自在に接続されるようになっている。つまり、前記超音波メス７には前記ＴＶカメラヘッド６６及び電気ケーブル５Ａを介してＴＶコントローラ１５から低電圧源が供給されるようになっている。
【００４７】
図５に示すように超音波メス７は、操作部７１には超音波振動を発生する超音波振動子７２と、この超音波振動子７２を駆動する駆動回路７３と、この駆動回路７３をＯＮ／ＯＦＦ制御する操作スイッチ７４と、前記電気ケーブル５Ａのオス型コネクタ５３が着脱自在に接続されるメス型コネクタ７５とを具備している。そして、前記超音波振動子７２からの超音波振動は、前記操作部７１の先端側に延出する超音波プローブ７６によってメス先端部７７に伝達されるようになっている。
【００４８】
図６に示すように前記ＴＶコントローラ１５にはプラグ６９ａを備えたＡＣコード６９によって例えば１００ボルトや２４０ボルト等の商用電源に接続される電源供給部４を構成する電源回路４１Ａが設けられている。
【００４９】
この電源回路４１Ａは、商用電源に接続された一次回路４４と、この一次回路４４と絶縁トランス４５を介して結合される二次回路である信号処理回路１６及び手術装置用電源である例えばＤＣ１２ボルトやＤＣ４８ボルト等の低電圧源に変換する手術装置用電源回路４７とで主に構成されている。
【００５０】
一方、前記ＴＶカメラヘッド６６内には固体撮像素子６６ａが内蔵されており、ＴＶケーブル６７内を挿通する信号ケーブル６７ａによって、前記ＴＶコントローラ１５内の信号処理回路１６と電気的に接続されている。
【００５１】
また、このＴＶカメラヘッド６６の例えば側面部には前記超音波メス７に一端部が接続される電気ケーブル５Ａの他端部に設けられているオス型コネクタ５４が着脱自在に接続される電気的接続部を構成するメス型コネクタ６６ｂが設けられている。そして、このメス型コネクタ６６ｂには前記手術装置用電源回路４７から延出して前記ＴＶケーブル６７内を信号線等に並走して挿通する接続線である接続ケーブル６８の一端部が接続されている。つまり、本実施形態においては電源供給部４がＴＶコントローラ１５内に設けた電源回路４１Ａと電気的接続部であるＴＶカメラヘッド６６に設けたメス型コネクタ６６ｂと接続ケーブル６８とで構成されている。
【００５２】
その他の構成は前記第１実施形態と同様であり同部材には同符合を付して説明を省略する。
【００５３】
上述のように構成した手術システムの作用を説明する。
処置を行う手術装置である超音波メス７のメス型コネクタ７５及びＴＶカメラヘッド６６のメス型コネクタ６６ｂに、それぞれ電気ケーブル５Ａに設けられているオス型コネクタ５３，５４を接続しておく。
【００５４】
この状態で術者が超音波メス７の操作スイッチ７４をＯＮ状態に操作すると、前記手術装置用電源回路４７で変換された低電圧源がこの超音波メス７内の駆動回路７３に供給され、この駆動回路７３から超音波振動子７２に駆動信号が出力される。すると、前記超音波振動子７２で超音波振動を発生し、この超音波振動が超音波プローブ７６によってメス先端部７７に伝達されて、術者の所望する組織の切開等の処置を行える。
【００５５】
なお、本実施形態においては手術装置を超音波メスとしたが、トラカール１２を介して腹腔に導かれるシステムを構成する手術装置は超音波メスに限定されるものではなく、電気焼灼装置などの電気的に駆動する手術装置であってもよい。
【００５６】
このように、手術システムで使用される手術装置の電源供給部を、観察・撮像装置を構成するＴＶカメラヘッド及びＴＶコントローラに一体に設け、この電源供給部の電気的接続部を最も患者の近くに位置するＴＶカメラヘッドに設けたことにより、手術装置に着脱自在に接続される電気ケーブルを患者の近傍に位置する電気的接続部に電気的に接続して、手術空間を十分に確保することができるとともに、術者は、手術ベッド上や床上を這う電気ケーブルに注意を払うことなく、集中して顕微鏡を観察しながらの処置を行うことができる。その他の作用及び効果は前記第１実施形態と同様である。
【００５７】
このことにより、超音波メスに接続される電気ケーブルがＴＶケーブルやライトガイド等に絡まって光学視管及び超音波メスの操作性を損なうことが防止される。
【００５８】
図７及び図８は本発明の第３実施形態に係り、図７は手術システムの別の構成例を示す図、図８は電気メスの構成を説明する図である。
【００５９】
図７に示すように本実施形態の手術システム１Ｂは、処置部位である腹腔内を観察しながら処置を行う手術システムの他の構成を示すものであり、患者の腹腔内には処置部位を観察する電子内視鏡８が挿入される。そして、この電子内視鏡８の処置具チャンネル（不図示）を介して処置部位に対する処置を行う手術装置である例えば電気メスの１つである高周波スネア９が挿入されるようになっている。
【００６０】
前記電子内視鏡８は、腹腔内に挿入される細長で柔軟な挿入部８１と、この挿入部８１の基端に設けた把持部を兼ねる操作部８２と、この操作部８２の側部から延出するユニバーサルコード８３とで主に構成されている。
【００６１】
前記挿入部８１の先端面には観察光学系を構成する光学レンズ８４が配置されており、この光学レンズ８４の結像位置には観察像を画像信号に光電変換する撮像部である固体撮像素子８５が配設されている。
【００６２】
また、前記ユニバーサルコード８３の基端部にはユニバーサルコード８３及び操作部８２，挿入部８１内を挿通するライトガイド（不図示）を介して照明光を供給する光源装置１３に接続される光源コネクタ８６が設けられている。この光源コネクタ８６の側部からは前記固体撮像素子８５で光電変換した画像信号を映像信号に生成する信号処理回路１６を設けた制御装置であるビデオプロセッサ１８に接続されるビデオケーブル１９が図示しないコネクタによって着脱自在に接続されている。なお、この光源コネクタ８６の前記コネクタは洗滌時に水密性が保たれるよう、防水キャップが付けられる構造となっている。
【００６３】
つまり、前記固体撮像素子８５で光電変換された画像信号は、挿入部８１，操作部８２，ユニバーサルコード８３，ビデオケーブル１９内を挿通する信号伝送ケーブル８７によって前記信号処理回路１６に伝送されるようになっている。なお、符号８８は前記処置具チャンネルに連通する処置具挿通口であり、この処置具挿通口８８から前記高周波スネア９が挿入される。
【００６４】
前記ビデオプロセッサ１８にはプラグ８０ａを備えたＡＣコード８０によって例えば１００ボルトや２４０ボルト等の商用電源に接続される電源供給部４を構成する電源回路４１Ｂが設けられている。そして、この電源回路４１Ｂには信号処理回路１６及び手術装置用電源である例えばＤＣ１２ボルトやＤＣ４８ボルト等の低電圧源に変換する手術装置用電源回路４７とが設けられている。
【００６５】
前記手術装置用電源回路４７からは接続線である接続ケーブル８９が信号線等に並走して延出しており、この接続ケーブル８９は前記ビデオケーブル１９，光源コネクタ８６及びユニバーサルコード８３内を挿通して撮像部近傍であって患者体外近傍に位置する操作部８２に設けられている電気的接続部を構成するメス型コネクタ８２ａに電気的に接続されている。
【００６６】
つまり、本実施形態においては電源供給部４がビデオプロセッサ１８内に設けた電源回路４１Ｂと電気的接続部である電子内視鏡８の操作部８２に設けたメス型コネクタ８２ａと接続ケーブル８９とで構成されている。
【００６７】
一方、高周波スネア９は、操作部を兼ねる把持部９１と、可撓性を有するスネアガイド９２及び処置部電極となるスネアループ９３とで主に構成されている。なお、符号５Ｂは電子内視鏡８と高周波スネア９とを電気的に接続して前記手術装置用電源回路４７で変換された低電圧源を高周波スネア９に供給する電気ケーブルであり、この電気ケーブル５Ｂの端部には前記メス型コネクタ８２ａ及び後述するメス型コネクタ９９に着脱自在に接続されるオス型コネクタ５５，５６が設けられている。符号９８は患者に接触配置される患者電極となるスネアループ９３に対する対極板であり、電極コード９７によって把持部９１に接続されている。この電極コード９７は、スネアガイド９２などに接触した際の電気的安全性を向上させるため、電気的シールドを施すとともに、絶縁を強化した構造となっている。
【００６８】
図８に示すように高周波スネア９の把持部９１にはスネアループ９３を駆動する駆動回路９４と、数１００キロヘルツないし数メガヘルツの高周波信号を生成する発振回路９５と、前記駆動回路９４をＯＮ／ＯＦＦ制御する操作スイッチ９６と、前記電気ケーブル５Ｂのオス型コネクタ５６が着脱自在に接続されるメス型コネクタ９９とが設けられている。なお、図に示すように前記対極板９８から延出している電極コード９７は駆動回路９４に電気的に接続されている。
【００６９】
上述のように構成した手術システムの作用を説明する。
処置を行う手術装置である高周波スネア９のメス型コネクタ９９及び電子内視鏡８の操作部８２に設けられているメス型コネクタ８２ａに、それぞれ電気ケーブル５Ｂのオス型コネクタ５５，５６を接続しておく。
【００７０】
この状態で術者が高周波スネア９の操作スイッチ９６をＯＮ状態に操作すると、前記手術装置用電源回路４７で変換された低電圧源が高周波スネア９の駆動回路９４と発振回路９５とに供給される。
【００７１】
前記高周波スネア９に電力が供給されることにより、発振回路９５では高周波信号が発生する。そして、この発振回路９５で発生した高周波信号は、前記駆動回路９４に供給され、この駆動回路９４で増幅された後、スネアループ９３に伝達される。
【００７２】
このことにより、スネアループ９３と対極板９８との間で、この高周波信号と生体組織の抵抗値によって決まるジュール熱が発生し、生体組織を蒸散して、組織の切開が行われる。
【００７３】
なお、本実施形態においては手術装置を高周波スネアとしたが、内視鏡の処置具チャンネルに挿通されてシステムを構成する手術装置としては高周波スネアに限定されるものではなく、超音波メスなどの電気的に駆動する手術装置であってもよい。
【００７４】
このように、手術システムで使用される手術装置の電源供給部を、観察・撮像装置を構成するビデオプロセッサ及びこのビデオプロセッサに接続されるビデオケーブル及び電子内視鏡に設け、この電源供給部の電気的接続部を患者の近くに位置する操作部に設けたことにより、手術装置に着脱自在に接続される電気ケーブルを患者の近傍に位置する電気的接続部に電気的に接続して、手術空間を十分に確保することができる。その他の作用及び効果は上述した実施形態と同様である。
【００７５】
このことにより、高周波スネアに接続される電気ケーブルが内視鏡のユニバーサルコード等に絡まって電子内視鏡及び高周波スネアの操作性を損なうことが防止される。
【００７６】
なお、本発明は、以上述べた実施形態のみに限定されるものではなく、発明の要旨を逸脱しない範囲で種々変形実施可能である。
【００７７】
［付記］
以上詳述したような本発明の上記実施形態によれば、以下の如き構成を得ることができる。
【００７８】
（１）対象部位を観察あるいは撮像するための観察・撮像部を有する観察・撮像装置と、
前記対象部位に対する処置を施す少なくとも１つの電動駆動される手術装置と、
前記観察・撮像部近傍、患者体外近傍に配置され、前記手術装置に電源を供給するための電気的接続部と、
前記観察・撮像部と前記観察・撮像装置本体とを接続する信号線に並走し、前記電気的接続部に接続される接続線と、
を具備する手術システム。
【００７９】
（２）前記電気的接続部は、対象部位の観察を行う観察・撮像装置に設けられている付記１記載の手術システム。
【００８０】
（３）前記観察・撮像装置又は前記手術装置の少なくとも一方に、電圧変換を行う電源回路を設けた付記２記載の手術システム。
【００８１】
（４）前記観察・撮像装置の一部に、前記手術装置との電気的接続部を設けた付記２記載の手術システム。
【００８２】
（５）前記電気的接続部を、前記観察・撮像装置の手術を受ける患者近くに配置した付記４記載の手術システム。
【００８３】
（６）前記観察・撮像装置は、手術用顕微鏡である付記１記載の手術システム。
（７）前記観察・撮像装置は、ＴＶカメラである付記１記載の手術システム。
【００８４】
（８）前記観察・撮像装置は、電子内視鏡である付記１記載の手術システム。
【００８５】
（９）対象部位を観察する顕微鏡部と、
この顕微鏡部を支持するアームスタンドとで構成される手術用顕微鏡において、
前記顕微鏡部に、外部機器に電源を出力することを可能にする電気的接続部を設けた手術用顕微鏡。
【００８６】
（１０）前記アームスタンド内に、商用電源の電圧を所定の電圧に変換する電源回路を設け、
この電源回路と前記電気的接続部とを前記アームスタンド内に挿通配置された接続供給手段により電気的に接続した付記９記載の手術用顕微鏡。
【００８７】
（１１）撮像手段を備えたＴＶカメラヘッドと、
前記撮像手段から出力された画像信号が入力され、この画像信号を映像信号に生成して観察手段に出力する信号処理回路を備えたコントローラとを具備する医療用ＴＶカメラにおいて、
前記医療用ＴＶカメラのカメラヘッド部に、外部機器に電源を出力することを可能にする電気的接続部を設けた医療用ＴＶカメラ。
【００８８】
（１２）前記コントローラ内に、商用電源の電圧を所定の電圧に変換する電源回路を設け、
この電源回路と前記電気的接続部とを、前記カメラヘッド部と前記コントローラとを接続するコード内に配設した、接続供給手段によって電気的に接続した付記１１記載の医療用ＴＶカメラ。
【００８９】
（１３）体腔内に挿入されるの挿入部の先端部に設けた固体撮像素子と、
前記挿入部の基端に配設された把持部とを具備した電子内視鏡において、
前記把持部に外部機器に電源を出力することを可能にする電気的接続部を設けた電子内視鏡。
【００９０】
（１４）対象部位を観察あるいは撮像するための観察・撮像部を有する治療用観察・撮像装置であって、
前記対象部位に対する処置を施す少なくとも１つの電動駆動される手術装置に電源を供給するために、前記観察・撮像部近傍、患者体外近傍に配置される電気的接続部と、
前記観察・撮像部と前記観察・撮像装置本体とを接続する信号線に並走し、前記電気的接続部に接続される接続線と、
を具備する治療用観察・撮像装置。
【００９１】
【発明の効果】
以上説明したように本発明によれば、手術室内の空間を有効利用して、術者に作業生が良好で十分な作業空間の提供を図れる手術システムを提供することができる。
【図面の簡単な説明】
【図１】図１ないし図３は本発明の第１実施形態に係り、図１は手術システムの１例を示す図
【図２】手術顕微鏡に設けた手術装置に電源を供給する電源供給部を説明する図
【図３】焼灼装置の１構成を説明する図
【図４】図４ないし図６は本発明の第２実施形態に係り、図４は手術システムの他の構成例を示す図
【図５】超音波メスの構成を説明する図
【図６】ＴＶカメラヘッド及びＴＶコントローラの構成を説明する図
【図７】図７及び図８は本発明の第３実施形態に係り、図７は手術システムの別の構成例を示す図
【図８】電気メスの構成を説明する図
【図９】従来の超音波手術装置の構成例を示す図
【図１０】マイクロサージャリーによる脳外科手術装置の構成例を示す図
【図１１】腹腔鏡と手術装置とで構成した医療システムを示す図
【符号の説明】
１…手術システム
２…手術用顕微鏡
３…焼灼装置
４…電源供給部
５…電気ケーブル
４１…電源回路
４２…電気的接続部
４３…接続ケーブル
【図１】
0003631388.tif 000002
【図２】
0003631388.tif 000003
【図３】
0003631388.tif 000004
【図４】
0003631388.tif 000005
【図５】
0003631388.tif 000006
【図６】
0003631388.tif 000007
【図７】
0003631388.tif 000008
【図８】
0003631388.tif 000009
【図９】
0003631388.tif 000010
【図１０】
0003631388.tif 000011
【図１１】
0003631388.tif 000012